(57)【要約】【課題】静電容量方式のタッチセンサが採用された電子機器用の入力装置において、タッチセンサの検知感度を適切に変更可能とする。【解決手段】入力装置１０のデータ処理部４において、入力操作が行われているとの判定が未確定の時点で、タッチセンサ７の検知感度を任意に設定する。そして、設定された検知感度に基づき、検知情報に係る入力値から入力操作の有無を判別し、その結果入力操作が行われているとの判定をした場合に、入力操作の検知情報に対応する出力情報を、制御回路部２から電子機器６に対して出力する。又、検知情報に対応する出力情報を同じくする複数のタッチセンサ７、すなわち、大型キーに複数使いされたタッチセンサ７が検出する、入力操作の複数の検知情報に基づき、入力操作の有効・無効の判定をする際の判別基準として、少なくとも、第１の検知感度より高い任意の感度である第２の検知感度を用いる。【選択図】図１
2013012159.tif 000002
【特許請求の範囲】
【請求項１】
電子機器の入力装置であって、
入力操作部及び該入力操作部に対する入力操作を検知する静電容量方式の複数のタッチセンサを備える操作部と、
該操作部から入力される前記入力操作があった時の検知情報の有効・無効の判定を行い、有効と判定された場合にのみ、前記検知情報に対応する出力情報を前記電子機器に対して出力する制御回路部とを備え、
該制御回路部は、前記入力操作が行われているとの判定が未確定の時点で、タッチセンサの検知感度を任意に設定可能であり、設定された第１の検知感度に基づき、前記検知情報に係る入力値の大きさから前記入力操作の有効・無効の判定をすると共に、
前記タッチセンサのうち、検知情報に対応する出力情報を同じくする複数のタッチセンサが検出する前記入力操作の複数の前記検知情報に基づき、前記入力操作の有効・無効の判定をする際の判別基準として、
少なくとも、前記第１の検知感度より高い任意の感度である第２の検知感度を用いることを特徴とする入力装置。
【請求項２】
前記制御回路部は、
前記タッチセンサのうち、検知情報に対応する出力情報を同じくする複数のタッチセンサが検出する前記入力操作の複数の前記検知情報に基づき、前記入力操作の有効・無効の判定をする際の判別基準として、
前記複数の検知情報に係る複数の前記入力値の差情報を検出し、該差情報が所定の範囲内にあるときにのみ、前記第２の検知感度を用いることを特徴とする請求項１記載の入力装置。
【請求項３】
前記制御回路部は、
前記タッチセンサのうち、検知情報に対応する出力情報を同じくする複数のタッチセンサが検出する前記入力操作の複数の前記検知情報に基づき、前記入力操作の有効・無効の判定をする際の判別基準として用いた、前記第２の検知感度又は前記差情報の所定の範囲を、
前記入力操作の複数の前記検知情報に係る入力値の大きさに応じて更新することを特徴とする請求項１又は２記載の入力装置。
【請求項４】
前記制御回路部は、
前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサのうちの、任意の１つのタッチセンサが検知する前記入力操作が、前記第１の検知感度に基づき有と判定された後、前記任意の１つのタッチセンサと同一のタッチセンサが検知する前記入力操作が、前記第２の検知感度に基づき有と判定されるとき、その入力操作を有効と判断することを特徴とする請求項１から３のいずれか１項記載の入力装置。
【請求項５】
前記制御回路部は、
前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサのうちの、任意の１つのタッチセンサが検知する前記入力操作が、前記第１の検知感度に基づき有と判定された後、前記任意の１つのタッチセンサと出力情報を同じくする別のタッチセンサが検知する前記入力操作が、前記第２の検知感度に基づき有と判定されるとき、その入力操作を有効と判断することを特徴とする請求項１から４のいずれか１項記載の入力装置。
【請求項６】
前記制御回路部は、
前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサが検知する前記入力操作が、前記第２の検知感度に基づき有と判定された後、その判定に係るタッチセンサのうちの１つのタッチセンサが検知する前記入力操作が、前記第１の検知感度に基づき有と判定されるとき、その入力操作を有効と判断することを特徴とする請求項１から３のいずれか１項記載の入力装置。
【請求項７】
入力操作部及び該入力操作部に対する入力操作を検知する静電容量方式の複数のタッチセンサを備える操作部と、
該操作部から入力される前記入力操作があった時の検知情報の有効・無効の判定を行い、有効と判定された場合にのみ、前記検知情報に対応する出力情報を前記電子機器に対して出力する制御回路部とを備える、電子機器の入力装置の入力制御方法であって、
前記入力操作が行われているとの判定が未確定の時点で、タッチセンサの検知感度を任意に設定するステップと、設定された第１の検知感度に基づき、前記検知情報に係る入力値の大きさから前記入力操作の有効・無効の判定をするステップと、
前記タッチセンサのうち、検知情報に対応する出力情報を同じくする複数のタッチセンサが検出する前記入力操作の複数の前記検知情報に基づき、前記入力操作の有効・無効の判定をする際に、
少なくとも、前記第１の検知感度より高い任意の感度である第２の検知感度を用いるステップとを含むことを特徴とする入力制御方法。
【請求項８】
前記タッチセンサのうち、検知情報に対応する出力情報を同じくする複数のタッチセンサが検出する前記入力操作の複数の前記検知情報に基づき、前記入力操作の有効・無効の判定をする際に、
前記複数の検知情報に係る複数の前記入力値の差情報を検出し、該差情報が所定の範囲内にあるときにのみ、前記第２の検知感度を用いるステップを含むことを特徴とする請求項７記載の入力制御方法。
【請求項９】
前記タッチセンサのうち、検知情報に対応する出力情報を同じくする複数のタッチセンサが検出する前記入力操作の複数の前記検知情報に基づき、前記入力操作の有効・無効の判定をする際の判別基準として用いた、前記第２の検知感度又は前記差情報の所定の範囲を、
前記入力操作の複数の前記検知情報に係る入力値の大きさに応じて更新するステップを含むことを特徴とする請求項７又は８記載の入力方法。
【請求項１０】
前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサのうちの、任意の１つのタッチセンサが検知する前記入力操作の有無の判定を、前記第１の検知感度に基づき行なうステップと、前記任意の１つのタッチセンサと同一のタッチセンサが検知する前記入力操作の有無の判定を、前記第２の検知感度に基づき行なうステップとを含むことを特徴とする請求項７から９のいずれか１項記載の入力方法。
【請求項１１】
前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサのうちの、任意の１つのタッチセンサが検知する前記入力操作の有無の判定を、前記第１の検知感度に基づき行なうステップと、前記任意の１つのタッチセンサと出力情報を同じくする別のタッチセンサが検知する前記入力操作の有無の判定を、前記第２の検知感度に基づき行なうステップとを含むことを特徴とする請求項７から１０のいずれか１項記載の入力方法。
【請求項１２】
前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサが検知する前記入力操作の有無の判定を、前記第２の検知感度に基づき行なうステップと、その判定に係るタッチセンサのうちの１つのタッチセンサが検知する前記入力操作の有無の判定を、前記第１の検知感度に基づき行なうステップとを含むことを特徴とする請求項７から９のいずれか１項記載の入力方法。
【発明の詳細な説明】
【技術分野】
【０００１】
本発明は、電子機器のための入力装置、及び、その入力装置の入力制御方法に関するものである。
【背景技術】
【０００２】
従来、ＬＣＤ（液晶表示装置）やＣＲＴ等の表示装置を備えた電子機器のための入力装置として、その表示装置の画面上に配置され、画面に表示される文字、数字及びその他の記号（図形、像等からなるアイコンと称される絵記号等を含む。複数の記号で１つの記号をなすものも含む。）を、その表面側から透かして見ながら所望の文字、数字及びその他の記号（以下、本説明において「所定の記号」という。）の位置を指等でタッチし、その記号位置に応じた情報を生成して出力する装置（以下、このような入力装置をタッチパネルともいう）が広く普及している（例えば、特許文献１参照）。
例えば、銀行等の現金自動預け払い機やカーナビゲータ等の電子機器においては、タッチパネル式ディスプレーが以前から普及しており、又携帯情報端末、電子辞書等の小型の電子機器でも盛んに使われるようになっている。
【０００３】
一方、タッチパネルを用いて、必ずしもＬＣＤやＣＲＴ等の表示装置が併設されていない入力装置を実現する提案も種々なされており、例えば、本出願人は、先に、表示装置としての機能が要求されないキーボード装置であって、かつ、タッチパネル式ディスプレーと同様に、最上面に位置する入力操作面が平坦面とされたキーボード装置を提案している（特許文献２参照）。
又、タッチパネルを用いた入力装置は、キーボード装置のような非常に多様な操作部を有するもののみならず、例えば、家電製品や住宅用機器等の操作部等にも、従来のキーキャップを備える形式の入力装置に代えて広く用いられている（特許文献３参照）。
【０００４】
さて、特許文献２記載のキーボード装置や、特許文献３記載の家電製品ないし住宅用機器等の操作部のような入力装置は、平坦な入力操作面を実現するにあたり、静電容量方式のタッチセンサを採用することで、高感度の入力検知を可能とするものであり、いずれも、入力操作面が平坦面とされたことから、清掃がし易くなって汚れが固着し難くなり、見栄えが向上する上に、清潔な状態を保つことができ、機能性と美観とを高度に兼ね備えたものとなる。
【０００５】
一方、静電容量方式のタッチセンサは、検知される静電容量の変化を拠り所として、操作の有無の判断をするものであることから、従来の、キーキャップを備える形式の入力装置のごとく、キーキャップを打鍵することによる変位を受けて、入力を検知する入力装置には無い、特有の課題を抱えるものとなっている。
例えば、その製造時においては、タッチセンサ毎の特性や、部品精度に起因する検知感度のばらつき等に起因して、図１１に示されるように、キー毎のタッチセンサの検出量（ここでは静電容量に関する検出値）にばらつきが生じることがある。図１１の例では、タッチセンサの検出量は、キーＮｏ．３に係るタッチセンサが一番大きく、キーＮｏ．２に係るタッチセンサが一番小さく、キーＮｏ．１に係るタッチセンサが中間値となっているが、このようなケースにおいて、入力操作の有無を判断するための、タッチセンサの検知感度を統一閾値で規定してしまうと、キーＮｏ．２の入力操作を検知することが不可能となることから、入力装置の出荷前にタッチセンサの検知感度に係る閾値を調整しておくことが必要となる。そこで、本発明者らは、このような課題に対処すべく、タッチセンサの検出量を、キー毎に設定可能な技術についての開発を行なっている（特願２０１０−２４４５６４号）。
【先行技術文献】
【特許文献】
【０００６】
【特許文献１】特開２００５−３１７０４１号公報
【特許文献２】特開２０１１−１００２５９号公報
【特許文献３】特開２００７−２０８６８２号公報
【発明の概要】
【発明が解決しようとする課題】
【０００７】
ところで、複数のキーを備える入力装置は、機能性やデザイン性等の様々な要請から、一般キーとは形状や面積の異なる大型キー（いわゆるワイドキー）が採用されたものが多い。例えば、図１２（ａ）に示されるパーソナルコンピュータのキーボードのテンキー１２を例に挙げれば、０（Ｉｎｓ）キー１４は、操作者側から見て横方向に寸法が長く、＋キー１６、Ｅｎｔｅｒキー１８は操作者側から見て奥行き方向に寸法が長く、これらのキーは、１〜９キーのごとき一般キー２０に対して、大型キーとして構成されている。そして、図１２（ａ）の例では、０（Ｉｎｓ）キー１４、＋キー１６及びＥｎｔｅｒキー１８は、各々、一般キー２０の、約２倍の面積を有している。
ここで、静電容量方式のタッチセンサの静電容量は、対向する平行平板で構成されるコンデンサのモデルを引用すると、Ｃ〔Ｆ〕：静電容量、ε〔Ｆ／ｍ〕：誘電率、Ｓ〔ｍ２〕：誘電率、ｄ〔ｍ〕：対向する平行平板（電極）の間隔として、一般に、次の式で表される。
Ｃ＝ε・Ｓ／ｄ
【０００８】
すなわち、静電容量方式のタッチセンサの静電容量は、コンデンサの平行平板に相当するタッチセンサの面積に比例することとなる。従って、キーの面積に比例した静電容量方式のタッチセンサを大型キーに採用すると、一般キーとの静電容量の変化に差が生じてしまい、図１１で説明したケースと同様の問題を生じることとなる。
かかる大型キーの検知感度の問題に対しては、例えば図１２（ｂ）に示されるように、タッチセンサ７（ＳＷ００〜ＳＷ４３）を、一般キー２０の入力検知に係るタッチセンサに関しては、一個使いとし、大型キーである０（Ｉｎｓ）キー１４、＋キー１６及びＥｎｔｅｒキー１８の入力検知に係るタッチセンサに関しては、二個使いとして構成する。この場合、０（Ｉｎｓ）キー１４に係るタッチセンサＳＷ４０、ＳＷ４１の検知情報に対応する出力情報は共通である。又、＋キー１６に係るタッチセンサＳＷ１３、ＳＷ２３、Ｅｎｔｅｒキー１８に係るタッチセンサＳＷ３３、ＳＷ４３についても同様である。このように構成することで、全てのタッチセンサ７の静電容量の変化に、キーの面積に起因する差が生じることを防ぐことができる。
【０００９】
一方、大型キーに係るタッチセンサを複数使いとすることで、次のような問題が生じてしまう。図１３（ａ）に示されるタッチセンサＡ、Ｂを具備する大型キーにおいて、タッチセンサＡ、Ｂに跨るようにして、タッチセンサＡ、Ｂの中間部分Ｃに対し打鍵がされた場合を検討する。この場合でも、図１３（ｂ）（ｃ）に示されるように、タッチセンサＡ、Ｂのいずれによっても検出がなされる。しかしながら、その検出量は、タッチセンサＡ、Ｂの何れかが正しく打鍵された場合の検出量を下回ることとなる。その結果として、タッチセンサＡ、Ｂの何れの閾値にも届かずに、入力操作に対する静電容量の変化が不足して入力操作が受け付けられず、意図した操作をすることが出来なくなることも懸念される。よって、大型キーに関してタッチセンサを複数使いの構成とする場合には、中間部分に対し打鍵がされた場合の閾値についても、特別な配慮が必要となる。
本発明は、上記課題に鑑みてなされたものであり、その目的とするところは、静電容量方式のタッチセンサが採用された電子機器用の入力装置において、一般キーに対して形状や面積の異なる大型キーが採用される場合に、全てのキーに係るタッチセンサの検知感度を、適切に調整することを可能とすることにある。
【課題を解決するための手段】
【００１０】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１１】
（１）電子機器の入力装置であって、入力操作部及び該入力操作部に対する入力操作を検知する静電容量方式の複数のタッチセンサを備える操作部と、該操作部から入力される前記入力操作があった時の検知情報の有効・無効の判定を行い、有効と判定された場合にのみ、前記検知情報に対応する出力情報を前記電子機器に対して出力する制御回路部とを備え、該制御回路部は、前記入力操作が行われているとの判定が未確定の時点で、タッチセンサの検知感度を任意に設定可能であり、設定された第１の検知感度に基づき、前記検知情報に係る入力値の大きさから前記入力操作の有効・無効の判定をすると共に、
前記タッチセンサのうち、検知情報に対応する出力情報を同じくする複数のタッチセンサが検出する前記入力操作の複数の前記検知情報に基づき、前記入力操作の有効・無効の判定をする際の判別基準として、少なくとも、前記第１の検知感度より高い任意の感度である第２の検知感度を用いる入力装置（請求項１）。
【００１２】
本項に記載の入力装置は、制御回路部における、入力操作の有効・無効の判定が未確定の時点において、タッチセンサの検知感度を任意に設定し、設定された第１の検知感度に基づき、検知情報に係る入力値の大きさから入力操作の有効・無効の判定をすることで、タッチセンサの静電容量の検出値にばらつきが生じる要因が存在したとしても、これを予め最適の検知感度に調整した状態で、入力操作の有効・無効の判定をするものである。
ところで、一般キーに対して形状や面積の異なる大型キーが採用される場合に、大型キーに係るタッチセンサが複数使いされている場合には、１つの大型キーに係る複数のタッチセンサは、必然的に、検知情報に対応する出力情報を同じく（共通）するものである。そこで、本項に係る発明では、検知情報に対応する出力情報を同じくする複数のタッチセンサから、入力操作の複数の検知情報が得られる場合には、少なくとも隣接する２つのタッチセンサに跨るようにして、それらの中間部分に対し打鍵がされたものとみなすものである。かかる場合には、隣接する２つのタッチセンサのいずれによっても検出がなされるが、その検出量は、２つのタッチセンサの何れかが正しく打鍵された場合の検出量を下回る。そこで、制御回路部では、入力操作の有効・無効の判定をする際の判別基準について、少なくとも、第１の検知感度より高い任意の感度である第２の検知感度へと切り替えることで、少ない検出量から入力操作の有効・無効の判定をするものである。
【００１３】
なお、本説明において「検知感度を切り替える」とは、例えば、静電容量方式のタッチセンサにより得られる「検出量のゲイン」を変更する手法や、検知情報に係る入力値の大きさに基づき入力操作の有無の判定を行なう際の「閾値」を変更する手法等が含まれる。
又、本説明において、「有効」な検知情報とは、タッチセンサに検知される検知情報のうち、意図しない入力操作や、ノイズ、環境変化等の外乱の影響を排除して、入力装置の操作者が意図的に実行した操作の結果として生じる検知情報を意味する。
又、入力操作部は、その形態が平面状、曲面状、或いは意図的な凹凸形状を有している等を問わず、静電容量方式のタッチセンサを備えるものである限り、該当するものである。
【００１４】
（２）上記（１）項において、前記制御回路部は、前記タッチセンサのうち、検知情報に対応する出力情報を同じくする複数のタッチセンサが検出する前記入力操作の複数の前記検知情報に基づき、前記入力操作の有効・無効の判定をする際の判別基準として、前記複数の検知情報に係る複数の前記入力値の差情報を検出し、該差情報が所定の範囲内にあるときにのみ、前記第２の検知感度を用いる入力装置（請求項２）。
【００１５】
本項に記載の入力装置は、制御回路部において、入力操作の有効・無効の判定をする際の判別基準について、少なくとも、第１の検知感度より高い任意の感度である第２の検知感度へと切り替えることに起因して、意図しない入力操作や、ノイズ、環境変化等の外乱の影響を受けやすくなる。そこで、検知情報に対応する出力情報を同じくする複数のタッチセンサから、入力操作の複数の検知情報が得られる場合には、各検知情報の検出量の差が、予め設定された所定の範囲内にある場合には、入力操作は「有効」との判定をするものである。各検知情報の検出量の差が、予め設定された所定の範囲内にある場合には、意図しない入力操作や、ノイズ、環境変化等の外乱の影響を考慮した上で、入力操作の有効・無効の判定をすることとなる。
ここで、複数のタッチセンサの検出量の差を、正負に関係ない絶対値として、予め設定された所定の範囲にあるか否かを判断することで、複数のタッチセンサの検出量の互いの大小関係に依存することなく、複数のタッチセンサの検出量の差が、単に予め設定された所定の範囲にあるか否かを以って、入力操作の有効・無効の判別基準とするものである。
【００１６】
（３）上記（１）又は（２）項において、前記制御回路部は、前記タッチセンサのうち、検知情報に対応する出力情報を同じくする複数のタッチセンサが検出する前記入力操作の複数の前記検知情報に基づき、前記入力操作の有効・無効の判定をする際の判別基準として用いた、前記第２の検知感度又は前記差情報の所定の範囲を、前記入力操作の複数の前記検知情報に係る入力値の大きさに応じて更新する入力装置（請求項３）。
【００１７】
本項に記載の入力装置は、検知情報に対応する出力情報を同じくする複数のタッチセンサから、入力操作の複数の検知情報が得られる場合に、制御回路部では、入力操作の有効・無効の判定をする際の判別基準について、第１の検知感度より高い任意の感度である第２の検知感度へと切り替えることで、少ない検出量から入力操作の有効・無効の判定をする。その結果、入力操作が行われているとの判定をした場合に、検知情報に対応する出力情報を同じくする複数のタッチセンサに設定されている検知感度を、検知情報に係る入力値の大きさに応じて更新することで、随時、入力操作が行われているか否かの判定に最適の検知感度に調整するものである。又、意図しない入力操作や、ノイズ、環境変化等の外乱の影響を考慮して、各検知情報の検出量の差が、予め設定された所定の範囲内にある場合には、入力操作は「有効」との判定をする場合にも、その所定の範囲を、検知情報に係る入力値の大きさに応じて更新することで、随時、入力操作が行われているか否かの判定に最適の範囲に調整するものである。
【００１８】
（４）上記（１）から（３）項において、前記制御回路部は、前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサのうちの、任意の１つのタッチセンサが検知する前記入力操作が、前記第１の検知感度に基づき有と判定された後、前記任意の１つのタッチセンサと同一のタッチセンサが検知する前記入力操作が、前記第２の検知感度に基づき有と判定されるとき、その入力操作を有効と判断する入力装置（請求項４）。
【００１９】
本項に記載の入力装置は、検知情報に対応する出力情報を同じくする複数のタッチセンサから、入力操作の複数の検知情報が得られる場合には、少なくとも隣接する２つのタッチセンサに跨るようにして、それらの中間部分に対し打鍵がされたものとみなすものである。
この際、隣接する２つのタッチセンサに跨る打鍵操作が、操作者の入力操作の方法によって、隣接する２つのタッチセンサの検出量を変化させるように打鍵位置を移動することがある（それが意図的であるか否かを問わない。以下同様。）。このような場合には、制御回路部では、入力操作の有効・無効の判定をする際の判別基準について、検知情報に対応する出力情報を同じくする複数のタッチセンサのうちの、任意の１つのタッチセンサが検知する、第１の検知感度に基づく入力操作が有と判定された後（所定時間経過後に）、任意の１つのタッチセンサと同一のタッチセンサによって第２の検知感度に基づく入力操作が有と判定されるとき、正式にその入力操作を有効と判断する。すなわち、隣接する２つのタッチセンサのうちの１つのタッチセンサの検知量の、時間経過に伴う変化を拠り所として、入力操作の有効・無効の判定をするものである。
【００２０】
（５）上記（１）から（４）項において、前記制御回路部は、前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサのうちの、任意の１つのタッチセンサが検知する前記入力操作が、前記第１の検知感度に基づき有と判定された後、前記任意の１つのタッチセンサと出力情報を同じくする別のタッチセンサが検知する前記入力操作が、前記第２の検知感度に基づき有と判定されるとき、その入力操作を有効と判断する入力装置（請求項５）。
【００２１】
本項に記載の入力装置においても、検知情報に対応する出力情報を同じくする複数のタッチセンサから、入力操作の複数の検知情報が得られる場合には、少なくとも隣接する２つのタッチセンサに跨るようにして、それらの中間部分に対し打鍵がされたものとみなすものである。
この際、隣接する２つのタッチセンサに跨る打鍵操作が、操作者の入力操作の方法によって、隣接する２つのタッチセンサの検出量を変化させるように打鍵位置を移動することがある。このような場合には、制御回路部では、入力操作の有効・無効の判定をする際の判別基準について、検知情報に対応する出力情報を同じくする複数のタッチセンサのうちの、任意の１つのタッチセンサが検知する、第１の検知感度に基づく入力操作が有と判定された後（所定時間経過後に）、任意の１つのタッチセンサと出力情報を同じくする別の（隣接する）タッチセンサによって第２の検知感度に基づく入力操作が有と判定されるとき、正式にその入力操作を有効と判断する。すなわち、隣接する２つのタッチセンサにより検知され、時間経過に伴い変化する検知量を拠り所として、入力操作の有効・無効の判定をするものである。
【００２２】
（６）上記（１）から（３）項において、前記制御回路部は、前記タッチセンサのうち、検知情報に対応する出力情報を同じくする複数のタッチセンサが検出する前記入力操作の複数の前記検知情報に基づき、前記入力操作の有効・無効の判定をする際の判別基準について、
前記検知情報に対応する出力情報を同じくする複数のタッチセンサが検知する前記入力操作が、前記第２の検知感度に基づき有と判定された後、その判定に係るタッチセンサのうちの１つのタッチセンサが検知する前記入力操作が、前記第１の検知感度に基づき有と判定されるとき、その入力操作を有効と判断する入力装置（請求項６）。
【００２３】
本項に記載の入力装置においても、検知情報に対応する出力情報を同じくする複数のタッチセンサから、入力操作の複数の検知情報が得られる場合には、少なくとも隣接する２つのタッチセンサに跨るようにして、それらの中間部分に対し打鍵がされたものとみなすものである。
この際、隣接する２つのタッチセンサに跨る打鍵操作が、操作者の入力操作の方法によって、隣接する２つのタッチセンサの中間部分に触れた後、一方のタッチセンサの方向へと検出量を変化させるように、打鍵位置を移動することがある。このような場合には、制御回路部では、入力操作の有効・無効の判定をする際の判別基準について、検知情報に対応する出力情報を同じくする複数のタッチセンサが検知する、第２の検知感度に基づく入力操作が有と判定された後（所定時間経過後に）、その判定に係るタッチセンサのうちの１つのタッチセンサによって第１の検知感度に基づく入力操作が有と判定されるとき、正式にその入力操作を有効と判断する。すなわち、隣接する２つのタッチセンサにより検知され、時間経過に伴い変化する検知量を拠り所として、入力操作の有効・無効の判定をするものである。
【００２４】
（７）上記（１）から（６）項において、前記複数のタッチセンサにより検知される入力操作の検知情報であるアナログ値をＡ／Ｄ変換して、デジタル値として前記制御回路部へと出力する入力情報検出回路を備え、前記制御回路部は、前記タッチセンサに設定された検知感度を、前記デジタル値の大きさに応じて更新する入力装置。
本項に記載の入力装置は、複数のタッチセンサにより検知される入力操作の検知情報であるアナログ値をＡ／Ｄ変換して、以後、デジタル値に基づき、タッチセンサに設定された検知感度に変更して、入力操作が行われているか否かの判定を行なうことで、ノイズの影響を排除した検知感度の設定、入力操作の有無の判定を行なうものである。
【００２５】
（８）入力操作部及び該入力操作部に対する入力操作を検知する静電容量方式の複数のタッチセンサを備える操作部と、該操作部から入力される前記入力操作があった時の検知情報の有効・無効の判定を行い、有効と判定された場合にのみ、前記検知情報に対応する出力情報を前記電子機器に対して出力する制御回路部とを備える、電子機器の入力装置の入力制御方法であって、
前記入力操作が行われているとの判定が未確定の時点で、タッチセンサの検知感度を任意に設定するステップと、設定された第１の検知感度に基づき、前記検知情報に係る入力値の大きさから前記入力操作の有効・無効の判定をするステップと、
前記タッチセンサのうち、検知情報に対応する出力情報を同じくする複数のタッチセンサが検出する前記入力操作の複数の前記検知情報に基づき、前記入力操作の有効・無効の判定をする際に、少なくとも、前記第１の検知感度より高い任意の感度である第２の検知感度を用いるステップとを含む入力制御方法（請求項７）。
【００２６】
（９）上記（８）項の、前記タッチセンサのうち、検知情報に対応する出力情報を同じくする複数のタッチセンサが検出する前記入力操作の複数の前記検知情報に基づき、前記入力操作の有効・無効の判定をする際に、
前記複数の検知情報に係る複数の前記入力値の差情報を検出し、該差情報が所定の範囲内にあるときにのみ、前記第２の検知感度を用いるステップを含む入力制御方法（請求項８）。
（１０）上記（８）（９）項の、前記タッチセンサのうち、検知情報に対応する出力情報を同じくする複数のタッチセンサが検出する前記入力操作の複数の前記検知情報に基づき、前記入力操作の有効・無効の判定をする際の判別基準として用いた、前記第２の検知感度又は前記差情報の所定の範囲を、前記入力操作の複数の前記検知情報に係る入力値の大きさに応じて更新するステップを含む入力制御方法（請求項９）。
【００２７】
（１１）上記（８）から（１０）項の、前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサのうちの、任意の１つのタッチセンサが検知する前記入力操作の有無の判定を、前記第１の検知感度に基づき行なうステップと、前記任意の１つのタッチセンサと同一のタッチセンサが検知する前記入力操作の有無の判定を、前記第２の検知感度に基づき行なうステップとを含む入力制御方法（請求項１０）。
（１２）上記（８）から（１１）項の、前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサのうちの、任意の１つのタッチセンサが検知する前記入力操作の有無の判定を、前記第１の検知感度に基づき行なうステップと、前記任意の１つのタッチセンサと出力情報を同じくする別のタッチセンサが検知する前記入力操作の有無の判定を、前記第２の検知感度に基づき行なうステップとを含む入力制御方法（請求項１１）。
【００２８】
（１３）上記（８）から（１０）項の、前記タッチセンサのうち、検知情報に対応する出力情報を同じくする複数のタッチセンサが検出する前記入力操作の複数の前記検知情報に基づき、前記入力操作の有効・無効の判定をする際に、
前記検知情報に対応する出力情報を同じくする複数のタッチセンサが検知する前記入力操作の有無の判定を、前記第２の検知感度に基づき行なうステップと、その判定に係るタッチセンサのうちの１つのタッチセンサが検知する前記入力操作の有無の判定を、前記第１の検知感度に基づき行なうステップとを含む入力方法。（請求項１２）。
（１４）上記（８）から（１３）項において、前記複数のタッチセンサにより検知される入力操作の検知情報であるアナログ値をＡ／Ｄ変換し、デジタル値として前記制御回路部へと出力するステップと、前記タッチセンサに設定された検知感度を、前記デジタル値の大きさに応じて更新するステップとを含む入力制御方法。
そして、上記（８）から（１４）項に記載の入力制御方法は、上記ステップを実行することにより、各々、上記（１）から（７）項の入力装置に対応する作用効果を奏するものである。
【発明の効果】
【００２９】
本発明はこのように構成したので、静電容量方式のタッチセンサが採用された電子機器用の入力装置において、一般キーに対して形状や面積の異なる大型キーが採用される場合に、全てのキーに係るタッチセンサの検知感度を、適切に調整することが可能となる。
【図面の簡単な説明】
【００３０】
【図１】本発明の一実施形態に係る入力装置の要部を示すブロック図である。
【図２】図１に示される入力装置における、電子機器の入力装置の入力制御方法を示すフローチャートであり、タッチセンサに設定される検知感度の初期設定に関するものである。
【図３】図１に示される入力装置における、電子機器の入力装置の入力制御方法を示すフローチャートであり、大型キーに係るタッチセンサに設定される検知感度の設定に関するものである。
【図４】図３に示されるフローチャートの補足説明図であり、（ａ）は２つのタッチセンサを備える大型キーとそれに対する中間打鍵状態を示し、（ｂ）（ｃ）は３つのタッチセンサを備える大型キーとそれに対する中間打鍵状態を示し、（ｄ）〜（ｆ）は（ａ）〜（ｃ）に対応する各タッチセンサの検出量と、各閾値との関係を示すグラフである。る。
【図５】図１に示される入力装置における、電子機器の入力装置の入力制御方法を示すフローチャートであり、大型キーに係るタッチセンサに設定される検知感度の設定に関する応用例を示すものである。
【図６】図５に示されるフローチャートの補足説明図であり、（ａ）〜（ｃ）は、図４（ａ）〜（ｃ）に示した各大型キーに対する中間打鍵状態における、各タッチセンサの検出量と、各閾値と、複数の検知情報に係る複数の検出量の差の許容値と、を示すグラフである。
【図７】図１に示される入力装置における、電子機器の入力装置の入力制御方法を示すフローチャートであり、大型キーに係るタッチセンサに設定される検知感度の設定に関する、更なる応用例を示すものである。
【図８】図７に示されるフローチャートの補足説明図であり、（ａ）は２つのタッチセンサを備える大型キーとそれに対する、打鍵位置の時間経過に伴う変化を示し、（ｂ）は、（ａ）に対応する各タッチセンサの検出量の時間経過に伴う変化と、各閾値との関係を示すグラフである。
【図９】図１に示される入力装置における、電子機器の入力装置の入力制御方法を示すフローチャートであり、図７の更なる応用例を示すものである。
【図１０】図９に示されるフローチャートの補足説明図であり、（ａ）は２つのタッチセンサを備える大型キーとそれに対する、打鍵状態の時間経過に伴う変化を示し、（ｂ）は、（ａ）に対応する各タッチセンサの検出量の時間経過に伴う変化と、各閾値との関係を示すグラフである。
【図１１】従来の静電容量方式のタッチセンサを備える入力装置において、タッチセンサの検出量のばらつきに起因する問題点を示す図である。
【図１２】（ａ）はパーソナルコンピュータのキーボードのテンキーを、（ｂ）は（ａ）の各キーに係るタッチセンサの配置を、模式的に示す平面図である。
【図１３】（ａ）は２つのタッチセンサを具備する大型キーにおいて、２つのタッチセンサに跨るようにして、２つのタッチセンサの中間部分に対し、打鍵がされた様子を模式的に示す平面図、（ｂ）は、（ａ）の２つのタッチセンサの検出量と閾値との関係を示すグラフ、（ｃ）は、（ａ）の２つのタッチセンサの時間経過に伴う検出量の変化と閾値との関係を示すグラフである。
【発明を実施するための形態】
【００３１】
以下、本発明の実施の形態を添付図面に基づいて説明する。以下の説明において、従来技術と同一部分若しくは相当する部分については、同一符号で示し、詳しい説明を省略する。又、以下の説明における「上」、「下」の方向は、本説明における入力装置を平置きした状態での、上下方向を意味する。
図１に示すように、本発明の実施の形態における入力装置１０は、電子機器６用の入力装置であって、平坦な入力操作面（図示は省略する）及び入力操作面に対する入力操作を検知する静電容量方式のタッチセンサ７を備える操作部１と、操作部１からの入力操作の検知情報が入力される制御回路部２とを備えている。
【００３２】
従って、本実施形態における入力装置１０では、入力操作面上に、それぞれ、従来の入力装置のキーキャップに対応する複数の区画が設けられており、タッチセンサ７は、各々の区画毎に設けられることで、各区画がキースイッチとして機能するものとなっている。
従って、本入力装置１０の操作者は、入力操作面上の各キースイッチを指等により触れることで、入力操作を実行するものである。なお、各タッチセンサ７は、例えば、各々の区画の直下に配置されるように、入力操作面の下部に配置される基板上に設けられるものであれば良い。
【００３３】
又、操作部１は、対応するタッチセンサ７に生じる静電容量の変化を検出して、その検知情報を制御回路部２に出力する、入力情報検出回路３を備えている。更に、入力装置１０において、制御回路部２は、その機能ブロックとして、記憶部５及びデータ処理部４を含んでいる。
ここで、記憶部５は、タッチセンサ７の感度設定に係る情報を定義するテーブルを有するものである。記憶部５のテーブルに定義された感度設定に係る情報とは、具体的には、タッチセンサ７毎に静電容量の検出値に対応付けて予め設定された、入力操作の有無の判断に最適の検知感度である。例えば、タッチセンサ７毎に、操作者によって確実に入力操作された場合に得られる静電容量の検出値を１００％とした場合に、それから何％減の範囲内の検出値については入力操作が有ると扱われるように、予め設定されるものである。
又、記憶部５は、複数の検知情報に係る複数の入力値（検出量）の差に基づく判断基準となる許容値ΔＣ（後述する）を記憶し、かつ、適宜その値を更新して記憶するものである。
【００３４】
データ処理部４は、検知情報に係る入力値の大きさが所定値に達した時点で、タッチセンサ７の検知感度を、記憶部５のテーブルに定義された感度設定に係る情報に基づき、予め設定された他の検知感度に切り替えるものである。そして、切り替え後の検知感度に基づき、検知情報に係る入力値の大きさから入力操作の有効・無効の判定をする。データ処理部４において、入力操作が行われているとの判定が行なわれる場合には、制御回路部２は、操作部１から入力される入力操作の検知情報に対応する出力情報を、電子機器６に対して出力する。
又、データ処理部４は、入力操作が行われているとの判定をした場合に、記憶部５に、その判定に係る入力操作の検知情報を逐次記憶させる。そして、タッチセンサ７に設定された所定の検知感度を、記憶部５に記憶された検知情報に係る入力値の大きさに応じて、記憶部５のテーブルに予め定義されたタッチセンサ７の感度設定に係る情報から、記憶部５に記憶された検知情報に係る入力値の大きさに応じた値を選択して、更新するものである。
【００３５】
なお、入力装置１０において、制御回路部２は、中央演算処理装置、メモリ、入出力回路等を備えた周知のマイクロコンピュータシステムとして構成されるものであっても良い。その際、制御回路部２がその構成要素として備える記憶部５及びデータ処理部４は、本説明における機能を果たす限り、任意のハードウェア又はソフトウェア、更にはその組み合わせにより実装することが出来る。
更に、必要に応じ、タッチセンサ７により検知される入力操作の検知情報であるアナログ値をＡ／Ｄ変換して、デジタル値として制御回路部２へと出力する入力情報検出回路３（図１では、操作部１に含むものとして例示）を備えることとしても良い。この場合には、制御回路部２は、タッチセンサ７に設定された検知感度を、デジタル値の大きさに応じて更新するものとなる。
【００３６】
本発明の実施の形態では、電子機器６はパーソナルコンピュータであり、入力装置１０はパーソナルコンピュータ用のキーボードである。
従って、入力装置１０のタッチセンサ７として、例えばテンキー部には、図１２にて説明した例と同様に、タッチセンサ７（ＳＷ００〜ＳＷ４３）を、一般キー２０の入力検知に係るタッチセンサに関しては、一個使いとし、大型キーである０（Ｉｎｓ）キー１４、＋キー１６及びＥｎｔｅｒキー１８の入力検知に係るタッチセンサに関しては、二個使いとして構成している。この場合、０（Ｉｎｓ）キー１４に係るタッチセンサＳＷ４０、ＳＷ４１の検知情報に対応する出力情報は共通である。又、＋キー１６に係るタッチセンサＳＷ１３、ＳＷ２３、Ｅｎｔｅｒキー１８に係るタッチセンサＳＷ３３、ＳＷ４３についても同様である。更に、Ｔａｂキー、ＣａｐｓＬｏｃｋ（英数）キー、Ｓｈｉｆｔ（↑）キー、Ｓｐａｃｅキー等も、同様の構成を有する大型キーとなっている。又、必要に応じ、図４（ｂ）に示されるＳｈｉｆｔ（↑）キーのごとく、タッチセンサを三個使いとして構成する場合もある。更に、四個以上のタッチセンサを使用して構成する大型キー（図示は省略する）を備える場合もある。
【００３７】
次に、図２〜図８を参照しながら、これら各機能ブロックの機能と共に、本実施形態における入力装置の入力制御方法について説明する。
以下の説明において、「検知感度を切り替える」ための手法として、操作部１から入力される入力操作の検知情報に係る入力値の大きさに基づき、入力操作の有無の判定を行なう際に、データ処理部４において判断基準となる「閾値」を変更する場合を例に挙げて説明する。
【００３８】
本実施形態における入力装置１０の入力制御方法は、概略的には、データ処理部４において、操作部１から入力される入力操作があった時の検知情報の有効・無効の判定を行い、有効と判定された場合にのみ、検知情報に対応する出力情報を電子機器６に対して出力するものである。又、入力操作が行われているとの判定が未確定の時点で、タッチセンサ７の検知感度を任意に設定するステップと、設定された検知感度に基づき、検知情報に係る入力値の大きさから入力操作の有効・無効の判定し、その結果入力操作が行われているとの判定をした場合に、タッチセンサ７に設定されている検知感度を、検知情報に係る入力値の大きさに応じて更新するステップとを含むものである。
【００３９】
タッチセンサ７に設定される検知感度の初期設定は、図２（ａ）に示される手順となる。
Ｓ１００：まず、統一された閾値（第１の検知感度）を全てのキーに係るタッチセンサ７へ設定する。この際の操作は、例えば操作者がタッチセンサ７を介して入力することにより行なうものである。なお、この時点での、各キーに係るタッチセンサ７の検出量（静電容量に関する検出値）と、統一閾値との関係は、図４と同様の関係にある。
Ｓ１１０：続いて、必要に応じ、個別の閾値を持ちたいキーに係るタッチセンサ７の、入力操作の有無の判定に係る個別の閾値を、追加設定する。個別の閾値を設定した場合には、個別の閾値が「第１の検知感度」となる。
【００４０】
このときの、各キーに係るタッチセンサ７の検出量と、個別の閾値との関係は、通常は、各キーに係るタッチセンサ７の検出量の大小に応じて、個別の閾値の大小も決定されるものである。例えば、図１１に例示されるように、タッチセンサの検出量が、大きな順からキーＮｏ．３、キーＮｏ．１、キーＮｏ．２となっているような場合には、各キーの個別閾値も、大きな順からキーＮｏ．３、キーＮｏ．１、キーＮｏ．２と設定される。又、各個別閾値は、例えば、各キーの検出量の半分程度の値に設定される。
なお、「個別の閾値を持ちたいキーに係るタッチセンサ」とは、例えば、それ自体の特性が他のタッチセンサに対して特異なものや、そのキーに与えられた機能上、一般キーに対して異なる閾値を与えた方が好ましいもの等が挙げられる。
【００４１】
Ｓ１２０：データ処理部４は、検知情報に係る入力値の大きさから入力操作の有無の判定時に、記憶部５のテーブルから、判定に係るキーのタッチセンサ７に設定された個別閾値を呼び出し、その結果入力操作が行われているとの判定をした場合にのみ、入力操作の検知情報に対応する出力情報を、制御回路部２から電子機器６に対して出力する。
又、入力操作が行われているとの判定をした場合には、記憶部５に、判定に係るタッチセンサ７の検出量を逐次記憶させる。そして、データ処理部４において、そのタッチセンサ７に設定されている閾値を、記憶部５に記憶されたタッチセンサ７の検出量に応じて、更新する。
なお、入力操作の有無の判定方法については、一般に行われるように、各キーに係るタッチセンサ７の検出量と、各タッチセンサ７に設定された閾値との比較によるものであり、詳しい説明は省略するが、データ処理部４は、入力操作の検知情報に係る入力値が、所定の大きさ（そのタッチセンサ７に設定された閾値）に達したとき、入力操作が行われているとの判定を行なうものである。
【００４２】
又、タッチセンサ７に設定される検知感度の初期設定の後に、特定のタッチセンサ７に対して、更に検知感度の専用設定を行なうことが可能である。
検知感度の専用設定の具体例としては、複数のタッチセンサ７のうち、検知情報に対応する出力情報を同じくする複数のタッチセンサ、すなわち、大型キーに係るタッチセンサ７（図４（ａ）のＳＷ４０、ＳＷ４１、図４（ｂ）のＳＷ４ａ、ＳＷ４ｂ、ＳＷ４ｃ参照）が検出する、入力操作の複数の検知情報に基づき、入力操作の有効・無効の判定をする際の判別基準として、少なくとも、第１の検知感度より高い任意の感度である第２の検知感度を用いるステップを含むものである。
【００４３】
一方、図３、図４の例では、大型キーに係るタッチセンサ７（図４（ａ）のＳＷ４０、ＳＷ４１、図４（ｂ）のＳＷ４ａ、ＳＷ４ｂ、ＳＷ４ｃ）に設定される検知感度の専用設定は、次の手順となる。この、検知感度の専用設定は、図２に示される手順により、検知感度の初期設定が既になされていることが前提となる。
Ｓ２００：大型キーに係るタッチセンサに、大型キー専用閾値（第２の検知感度：以下単に「専用閾値」ともいう。）を設定する。
この際の操作は、通常は、データ処理部４によって、大型キーへの入力操作が行われているとの判定が未確定の適切な時点で、自動的に行われる。又、操作者が、大型キー専用閾値設定用に割り当てられたキーのタッチセンサ７を介して入力することにより行なうこととしても良い。この場合には、データ処理部４は、タッチセンサ７に既に設定される検知感度（第１の検知感度）に基づき入力操作の有無を判断し、入力操作有りとの判断の下で、大型キー専用閾値の変更要求を受理する（以下のＳ３１０、Ｓ４２０、Ｓ５００も同様）。
【００４４】
Ｓ２１０：データ処理部４は、検知情報に係る入力値の大きさから入力操作の有効・無効の判定をする際に、記憶部５のテーブルから、判定に係るキーに設定された大型キー専用閾値（第２の検知感度）を呼び出し、その結果入力操作が行われているとの判定をした場合にのみ、入力操作の検知情報に対応する出力情報を、制御回路部２から電子機器６に対して出力する。
【００４５】
すなわち、図４（ａ）に示されるように、０（Ｉｎｓ）キーに二個使いされたタッチセンサＳＷ４０、ＳＷ４１に跨るようにして、タッチセンサＳＷ４０、ＳＷ４１の中間部分に対し打鍵がされた場合には、図４（ｄ）に示されるように、タッチセンサＳＷ４０、ＳＷ４１のいずれによっても検出がなされる。しかしながら、その検出量は、閾値（第１の検知感度）を下回る。その結果として、タッチセンサＳＷ４０、ＳＷ４１の何れの閾値（第１の検知感度）にも届かずに、入力操作に対する静電容量の変化が不足して入力操作が受け付けられず、意図した操作をすることが出来なくなる。そこで、大型キー専用閾値（第２の検知感度）を判別基準として用いることで、タッチセンサＳＷ４０、ＳＷ４１に係る０（Ｉｎｓ）キーへの入力操作の有効・無効の判定をするものである。
【００４６】
同様にして、図４（ｂ）（ｃ）に示されるように、Ｓｈｉｆｔ（↑）キーに三個使いされたタッチセンサＳＷ４ａ、ＳＷ４ｂ、ＳＷ４ｃのうち、タッチセンサＳＷ４ａ、ＳＷ４ｂの中間部分に対し打鍵された場合、及び、タッチセンサＳＷ４ｂ、ＳＷ４ｃの中間部分に対し打鍵された場合においても、図４（ｅ）（ｆ）に示されるように、タッチセンサＳＷ４ｂ、ＳＷ４ｃの双方、又は、タッチセンサＳＷ４ｂ、ＳＷ４ｃの双方によって検知がなされる。しかしながら、その検出量は、閾値（第１の検知感度）を下回り、タッチセンサＳＷ４ａ、ＳＷ４ｂ、ＳＷ４ｃの何れの閾値（第１の検知感度）にも届かないこととなる。そこで、大型キー専用閾値（第２の検知感度）を判別基準として用いることで、タッチセンサＳＷ４ａ、ＳＷ４ｂ、ＳＷ４ｃに係るＳｈｉｆｔ（↑）キーへの入力操作の有効・無効の判定をするものである。
【００４７】
Ｓ２２０：上記Ｓ２１０において、専用閾値に設定されたタッチセンサ（ＳＷ４０、ＳＷ４１、ＳＷ４ａ、ＳＷ４ｂ、ＳＷ４ｃ）に係るキーの、検出量が、専用閾値を上回る場合には（Ｙｅｓ）、データ処理部４は、そのタッチセンサに係る大型キー（０（Ｉｎｓ）キー、Ｓｈｉｆｔ（↑）キー）の入力操作を有効と判断する。
Ｓ２３０：上記Ｓ２２０において、入力操作を有効と判定した場合には、記憶部５に、判定に係るタッチセンサ（ＳＷ４０、ＳＷ４１、ＳＷ４ａ、ＳＷ４ｂ、ＳＷ４ｃ）の検出量を逐次記憶させる。そして、データ処理部４において、そのタッチセンサに設定されている専用閾値を、記憶部５に記憶されたタッチセンサ（ＳＷ４０、ＳＷ４１、ＳＷ４ａ、ＳＷ４ｂ、ＳＷ４ｃ）の検出量に応じて、更新する。
Ｓ２４０：上記Ｓ２１０において、専用閾値に設定されたタッチセンサに係るキーの検出量が、専用閾値を上回っていない場合には（Ｎｏ）、データ処理部４は、そのタッチセンサに係る大型キーの入力操作を無効と判断する。
【００４８】
続いて、図５、図６を参照しながら、大型キーに係るタッチセンサ（図４（ａ）のＳＷ４０、ＳＷ４１、図４（ｂ）のＳＷ４ａ、ＳＷ４ｂ、ＳＷ４ｃ参照）に設定される検知感度の専用設定の応用例について説明する。この際の、検知感度の専用設定においても、図２に示される手順により、検知感度の初期設定が既になされていることが前提となる。
Ｓ３００：データ処理部４は、検知情報に係る入力値の大きさから入力操作の有効・無効の判定をする際に、記憶部５のテーブルから、図６に示されるように、複数の検知情報に係る複数の入力値（検出量）の差に基づく判断基準となる許容値ΔＣを呼び出す。なお、許容値ΔＣは、記憶部５のテーブルに定義された許容値ΔＣに係る情報に基づき、予め設定された許容値ΔＣに設定されるものである。そして、大型キーに係るタッチセンサ（図４（ａ）のＳＷ４０、ＳＷ４１、図４（ｂ）（ｃ）のＳＷ４ａ、ＳＷ４ｂ、ＳＷ４ｃ参照）の各々から得られる検出量の差の絶対値と、許容値ΔＣとを比較する。
図５は、図４（ａ）のタッチセンサＳＷ４０、ＳＷ４１、図４（ｂ）（ｃ）のタッチセンサＳＷ４ａ、ＳＷ４ｂ、ＳＷ４ｃの各々の検出値の差値が、図６（ａ）〜（ｃ）に示される所定の範囲（許容値）ΔＣの範囲内にあるか否かを判定したものである。
【００４９】
Ｓ３１０：上記Ｓ３００において、検出量の差の絶対値が許容値ΔＣの範囲内にあると判定した場合には、大型キー専用閾値（第２の検知感度）を設定する。専用閾値の設定方法は、上記Ｓ２００と同様である。
Ｓ３２０：データ処理部４は、検知情報に係る入力値の大きさから入力操作の有効・無効の判定をする際に、記憶部５のテーブルから、判定に係るキーに設定された大型キー専用閾値（第２の検知感度）を呼び出し、その結果入力操作が行われているとの判定をした場合にのみ、入力操作の検知情報に対応する出力情報を、制御回路部２から電子機器６に対して出力する。
【００５０】
すなわち、図６（ａ）に示されるように、タッチセンサＳＷ４０、ＳＷ４１の双方によって検出がなされた場合において、その検出量が、閾値（第１の検知感度）を下回り、大型キー専用閾値（第２の検知感度）を上回り、なおかつ、検出量の差の絶対値が許容値ΔＣの範囲内にあるか否かを考慮して、タッチセンサＳＷ４０、ＳＷ４１に係る０（Ｉｎｓ）キーへの入力操作入力操作の有効・無効の判定をするものである。
同様に、図６（ｂ）（ｃ）に示されるように、タッチセンサＳＷ４ｂ、ＳＷ４ｃの双方、又は、タッチセンサＳＷ４ｂ、ＳＷ４ｃの双方によって検知がなされた場合において、その検出量が、閾値（第１の検知感度）を下回り、大型キー専用閾値（第２の検知感度）を上回り、なおかつ、検出量の差の絶対値が許容値ΔＣの範囲内にあるか否かを考慮して、タッチセンサＳＷ４ａ、ＳＷ４ｂ、ＳＷ４ｃに係るＳｈｉｆｔ（↑）キーへの入力操作の有効・無効の判定をするものである。
【００５１】
Ｓ３３０：上記Ｓ３２０において、専用閾値に設定されたタッチセンサ（ＳＷ４０、ＳＷ４１、ＳＷ４ａ、ＳＷ４ｂ、ＳＷ４ｃ）に係るキーの、検出量が、専用閾値を上回る場合には（Ｙｅｓ）、データ処理部４は、そのタッチセンサに係る大型キー（０（Ｉｎｓ）キー、Ｓｈｉｆｔ（↑）キー）の入力操作を有効と判断する。
【００５２】
Ｓ３４０：上記Ｓ３３０において、入力操作を有効と判定した場合には、記憶部５に、判定に係るタッチセンサ（ＳＷ４０、ＳＷ４１、ＳＷ４ａ、ＳＷ４ｂ、ＳＷ４ｃ）の検出量を逐次記憶させる。そして、データ処理部４において、そのタッチセンサに設定されている専用閾値を、記憶部５に記憶されたタッチセンサ（ＳＷ４０、ＳＷ４１、ＳＷ４ａ、ＳＷ４ｂ、ＳＷ４ｃ）の検出量に応じて、更新する。又、差情報の所定の範囲ΔＣについても、記憶部５に記憶されたタッチセンサ（ＳＷ４０、ＳＷ４１、ＳＷ４ａ、ＳＷ４ｂ、ＳＷ４ｃ）の検出量に応じて、更新する。
Ｓ３５０：上記Ｓ３２０において、専用閾値に設定されたタッチセンサに係るキーの検出量が、専用閾値を上回っていない場合には（Ｎｏ）、データ処理部４は、そのタッチセンサに係る大型キーの入力操作を無効と判断する。
【００５３】
Ｓ３６０：上記Ｓ３００において、検出量の差の絶対値が許容値ΔＣの範囲内に無いと判定した場合には、判定に係るタッチセンサ（ＳＷ４０、ＳＷ４１、ＳＷ４ａ、ＳＷ４ｂ、ＳＷ４ｃ）の検知感度として、通常の閾値（第１の検知感度）を設定する。これによって、意図しない入力操作や、ノイズ、環境変化等の外乱の影響を排除するものである。
Ｓ３７０：データ処理部４は、検知情報に係る入力値の大きさから入力操作の有効・無効の判定をする際に、記憶部５のテーブルから、判定に係るキーに設定された通常の閾値（第１の検知感度）を呼び出し、その結果入力操作が行われているとの判定をした場合にのみ、入力操作の検知情報に対応する出力情報を、制御回路部２から電子機器６に対して出力する。
【００５４】
なお、Ｓ３７０において、通常の閾値に設定されたタッチセンサ（ＳＷ４０、ＳＷ４１、ＳＷ４ａ、ＳＷ４ｂ、ＳＷ４ｃ）に係るキーの、検出量が、通常の閾値を上回る場合には（Ｙｅｓ）、上記Ｓ３３０へと移行し、データ処理部４は、そのタッチセンサに係る大型キー（０（Ｉｎｓ）キー、Ｓｈｉｆｔ（↑）キー）の入力操作を有効と判断する。
一方、通常の閾値に設定されたタッチセンサに係るキーの、検出量が、通常の閾値を上回らない場合には（Ｎｏ）、上記Ｓ３５０へと移行し、データ処理部４は、そのタッチセンサに係る大型キー（０（Ｉｎｓ）キー、Ｓｈｉｆｔ（↑）キー）の入力操作を無効と判断する。
【００５５】
続いて、図７、図８を参照しながら、大型キーに係るタッチセンサ（図８（ａ）のＳＷ４０、ＳＷ４１参照）に設定される検知感度の専用設定の、更なる応用例について説明する。又、本応用例では、タッチセンサを三個使いした大型キーについての説明を省略するが、同様の技術思想に基づき適用可能である。更に、タッチセンサを四個以上使用して構成した大型キー（図示は省略する）についても同様の技術思想に基づき適用可能である。
Ｓ４００：データ処理部４は、大型キーに係るタッチセンサに、時刻Ｔｎ−１までの期間に、通常の閾値（第１の検知感度）を設定する。この際の、検知感度の設定手順は、図２に示される手順によりなされるものである。
【００５６】
Ｓ４１０：データ処理部４は、大型キーに係る複数タッチセンサのうちの、任意の１つのタッチセンサが検知する検出量が、通常の閾値を上回っているか否かを把握する。
例えば、図８（ａ）に示されるように、時刻Ｔｎ−１において、０（Ｉｎｓ）キーに二個使いされたタッチセンサＳＷ４０、ＳＷ４１のうち、タッチセンサＳＷ４０のみによって検出がなされた場合に、図８（ｂ）その検出量が、通常の閾値（第１の検知感度）を上回っているか否かを把握する。
【００５７】
Ｓ４２０：上記Ｓ４１０において、大型キーに係る複数タッチセンサのうちの、任意の１つのタッチセンサが検知する検出量が、通常の閾値を上回っていると判定した場合には、データ処理部４は、通常の閾値を上回っていると判定したタッチセンサに、時刻Ｔｎ−１より後の時刻Ｔｎまでの期間に、大型キー専用閾値（第２の検知感度）を設定する。
Ｓ４３０：データ処理部４は、大型キーに係る複数タッチセンサのうちの、任意の１つのタッチセンサが検知する検出量が、通常の閾値を上回っているか否かを把握する。
例えば、図８（ａ）に示されるように、時刻Ｔｎにおいて、０（Ｉｎｓ）キーに二個使いされたタッチセンサＳＷ４０、ＳＷ４１に跨るようにして、それらの中間部分に対し打鍵された状態へと移行した場合に、タッチセンサＳＷ４０、ＳＷ４１のうち、タッチセンサＳＷ４０の検出量が、大型キー専用閾値（第２の検知感度）を上回っているか否かを把握する。
又、これと同時に若しくはこれに代えて、時刻Ｔｎにおいて、０（Ｉｎｓ）キーに二個使いされたタッチセンサＳＷ４０、ＳＷ４１のうち、タッチセンサＳＷ４１の検出量が、大型キー専用閾値（第２の検知感度）を上回っているか否かを把握することとしても良い。
【００５８】
すなわち、図８（ａ）に示されるように、当初（時刻Ｔｎ−１）は、０（Ｉｎｓ）キーに二個使いされたタッチセンサＳＷ４０、ＳＷ４１のうち、タッチセンサＳＷ４０のみ打鍵され、その後（時刻Ｔｎ）、タッチセンサＳＷ４０、ＳＷ４１に跨るようにして、タッチセンサＳＷ４０、ＳＷ４１の中間部分に対し打鍵がされ、最終的に（時刻Ｔｎ＋１）、打鍵位置がタッチセンサＳＷ４１へと移動するような場合が、本例に該当するものである。この場合には、図８（ｂ）に示されるように、タッチセンサＳＷ４０の検出量は、時刻Ｔｎ−１をピークとして増減し、タッチセンサＳＷ４１の検出量は、時刻Ｔｎ＋１をピークとして増減する。そして、いずれの検出量も、ピーク時には通常の閾値を上回る値となり、所定時間経過後も、専用閾値を上回る値を維持している。
そこで、タッチセンサＳＷ４０、ＳＷ４１の検知当初の閾値を通常の閾値（第１の検知感度）とし、所定時間経過後に大型キー専用閾値（第２の検知感度）を判別基準として用いることで、タッチセンサＳＷ４０、ＳＷ４１に係る０（Ｉｎｓ）キーへの入力操作の有効・無効の判定をするものである。
【００５９】
Ｓ４４０：上記Ｓ４３０において、大型キー専用閾値に設定されたタッチセンサ（ＳＷ４０、ＳＷ４１）に係るキーの、検出量が、専用閾値を上回る場合には（Ｙｅｓ）、データ処理部４は、そのタッチセンサに係る大型キー（０（Ｉｎｓ）キー、Ｓｈｉｆｔ（↑）キー）の入力操作を有効と判断する。
Ｓ４５０：上記Ｓ４４０において、入力操作を有効と判定した場合には、記憶部５に、判定に係るタッチセンサ（ＳＷ４０、ＳＷ４１）の検出量を逐次記憶させる。そして、データ処理部４において、そのタッチセンサに設定されている通常の閾値及び専用閾値を、記憶部５に記憶されたタッチセンサ（ＳＷ４０、ＳＷ４１）の検出量に応じて、更新する。
【００６０】
Ｓ４６０：上記Ｓ４１０又はＳ４３０において、判定に係るタッチセンサ（ＳＷ４０、ＳＷ４１）の検出量が、通常の閾値又は専用の閾値を上回っていない場合には（Ｎｏ）、データ処理部４は、そのタッチセンサに係る大型キーの入力操作を無効と判断する。
なお、上記フローにおいて、通常の閾値と専用の閾値を大型キーに予め設定し、Ｓ４００では通常の閾値を、Ｓ４２０では専用閾値をそれぞれ選択する方法でも良い。
又、上記フローにおける時刻Ｔｎ±ｎは、予め所定の周期に設定されたスキャンタイミングを意味するものである（図９、図１０も同様）。
【００６１】
続いて、図９、図１０を参照しながら、大型キーに係るタッチセンサ（図１０（ａ）のＳＷ４０、ＳＷ４１参照）に設定される検知感度の専用設定の、更なる応用例について説明する。又、本応用例においても、タッチセンサを三個使いした大型キーについての説明を省略するが、同様の技術思想に基づき適用可能なものである。
Ｓ５００：データ処理部４は、大型キーに係るタッチセンサに、時刻Ｔｎ−１までの期間に、大型キー専用閾値（第２の検知感度）を設定する。
【００６２】
Ｓ５１０：データ処理部４は、検知情報に係る入力値の大きさから入力操作の有効・無効の判定をする際に、記憶部５のテーブルから、判定に係るキーに設定された大型キー専用閾値（第２の検知感度）を呼び出し、大型キーに係る複数タッチセンサが検知する各検出量が、大型キー専用閾値を上回っているか否かを把握する。
例えば、図１０（ａ）に示されるように、時刻Ｔｎ−１において、０（Ｉｎｓ）キーに二個使いされたタッチセンサＳＷ４０、ＳＷ４１の双方によって検出がなされた場合に、図８（ｂ）その検出量が、大型キー専用閾値（第２の検知感度）を上回っているか否かを把握する。
【００６３】
Ｓ５２０：上記Ｓ５２０において、大型キーに係る複数タッチセンサが検知する検出量が、大型キー専用閾値を上回っていると判定した場合には、データ処理部４は、大型キー専用閾値を上回っていると判定したタッチセンサに、時刻Ｔｎ−１より後の時刻Ｔｎまでの期間に、通常の閾値（第１の検知感度）を設定する。
Ｓ５３０：データ処理部４は、上記Ｓ５１０の判定に係るタッチセンサのうちの、１つのタッチセンサが検知する検出量が、通常の閾値を上回っているか否かを把握する。
例えば、図１０（ａ）に示されるように、時刻Ｔｎにおいて、０（Ｉｎｓ）キーに二個使いされたタッチセンサＳＷ４０、ＳＷ４１のうち、タッチセンサＳＷ４１の検出量が、通常の閾値（第１の検知感度）を上回っているか否かを把握する。
【００６４】
すなわち、本例は、図１０（ａ）に示されるように、当初（時刻Ｔｎ−１）は、０（Ｉｎｓ）キーに二個使いされたタッチセンサＳＷ４０、ＳＷ４１に跨るようにして、タッチセンサＳＷ４０、ＳＷ４１の中間部分に対し打鍵がされ、その後（時刻Ｔｎ）、打鍵位置がタッチセンサＳＷ４１へと移動するような場合が該当するものである。この場合には、図１０（ｄ）に示されるように、タッチセンサＳＷ４０の検出量は、時刻Ｔｎ−１をピークとして増減するが、その検出量は、通常の閾値には届かない。一方、タッチセンサＳＷ４１の検出量は、時刻Ｔｎをピークとして増減し、その検出量も、ピーク時には通常の閾値を上回る値となる。
そこで、タッチセンサＳＷ４０、ＳＷ４１の検知当初の閾値を大型キー専用閾値（第２の検知感度）とし、所定時間経過後に通常の閾値（第１の検知感度）を判別基準として用いることで、タッチセンサＳＷ４０、ＳＷ４１に係る０（Ｉｎｓ）キーへの入力操作の有効・無効の判定をするものである。
【００６５】
Ｓ５４０：上記Ｓ５３０において、通常の閾値に設定されたタッチセンサ（ＳＷ４０、ＳＷ４１）に係るタッチセンサのうちの、少なくとも１つ（ＳＷ４１）の検出量が、通常の閾値を上回る場合には（Ｙｅｓ）、データ処理部４は、そのタッチセンサに係る大型キー（０（Ｉｎｓ）キー、Ｓｈｉｆｔ（↑）キー）の入力操作を有効と判断する。
Ｓ５５０：上記Ｓ５４０において、入力操作を有効と判定した場合には、記憶部５に、判定に係るタッチセンサ（ＳＷ４０、ＳＷ４１）の検出量を逐次記憶させる。そして、データ処理部４において、そのタッチセンサに設定されている通常の閾値及び専用閾値を、記憶部５に記憶されたタッチセンサ（ＳＷ４０、ＳＷ４１）の検出量に応じて、更新する。
Ｓ５６０：上記Ｓ５１０又はＳ５３０において、判定に係るタッチセンサ（ＳＷ４０、ＳＷ４１）の検出量が、専用の閾値又は通常の閾値を上回っていない場合には（Ｎｏ）、データ処理部４は、そのタッチセンサに係る大型キーの入力操作を無効と判断する。
なお、上記フローにおいて、通常の閾値と専用の閾値を大型キーに予め設定し、Ｓ５００では専用の閾値を、Ｓ５２０では通常閾値をそれぞれ選択する方法でも良い。
【００６６】
さて、上記構成をなす、本発明の実施の形態によれば、次のような作用効果を得ることが可能である。
まず、本実施形態に係る入力装置１０は、制御回路部２における、入力操作の有無の判定が未確定の時点において、タッチセンサ７の検知感度（閾値）を任意に設定し（図２のＳ１００）、設定された検知感度（閾値）に基づき、検知情報に係る入力値の大きさから入力操作の有効・無効の判定をすることで、タッチセンサ７の検出量にばらつきが生じる要因が存在したとしても、これを予め最適の検知感度（閾値）に調整した状態で、入力操作の有効・無効の判定をするものである。そして、その結果入力操作が行われているとの判定をした場合に、タッチセンサ７に設定されている検知感度（閾値）を、検知情報に係る入力値の大きさに応じて更新することで、随時、入力操作が行われているか否かの判定に最適の検知感度（閾値）に調整することができる。
【００６７】
しかも、本実施形態に係る入力装置１０は、一般キーに対して形状や面積の異なる大型キーが採用される場合に、大型キーに係るタッチセンサ７が複数使いされている場合には（図４（ａ）のＳＷ４０、ＳＷ４１、図４（ｂ）のＳＷ４ａ、ＳＷ４ｂ、ＳＷ４ｃ参照）、１つの大型キーに係る複数のタッチセンサは、必然的に、検知情報に対応する出力情報を同じく（共通）するものである。そこで、検知情報に対応する出力情報を同じくする複数のタッチセンサから、入力操作の複数の検知情報が得られる場合には、少なくとも隣接する２つのタッチセンサに跨るようにして、それらの中間部分に対し打鍵がされたものとみなすものである（図４（ａ）〜（ｃ）参照）。かかる場合には、隣接する２つのタッチセンサのいずれによっても検出がなされるが、その検出量は、２つのタッチセンサの何れかが正しく打鍵された場合の検出量を下回る（図４（ｄ）〜（ｆ）参照）。そこで、図３、図４の例では、制御回路部２において、入力操作の有効・無効の判定をする際の判別基準について、少なくとも、第１の検知感度より高い任意の感度である第２の検知感度へと切り替えることで（Ｓ２００）、少ない検出量から入力操作の有効・無効の判定（Ｓ２２０、Ｓ２３０）をすることが可能となる。
【００６８】
又、制御回路部２において、入力操作の有効・無効の判定をする際の判別基準について、少なくとも、第１の検知感度より高い任意の感度である第２の検知感度へと切り替えることに起因して、意図しない入力操作や、ノイズ、環境変化等の外乱の影響を受けやすくなる。そこで、図５、図６の応用例では、検知情報に対応する出力情報を同じくする複数のタッチセンサ（図４（ａ）のＳＷ４０、ＳＷ４１、図４（ｂ）のＳＷ４ａ、ＳＷ４ｂ、ＳＷ４ｃ参照）、から、入力操作の複数の検知情報が得られる場合には、各検知情報の検出量の差が、予め設定された所定の範囲ΔＣ内にある場合には（Ｓ３００、図６（ａ）〜（ｃ））、ノイズ等の影響を考慮した上で、入力操作の有効・無効の判定（Ｓ３３０、Ｓ３５０）を行なうものである。
しかも、複数のタッチセンサの検出量の差を、正負に関係ない絶対値として、予め設定された所定の範囲にあるか否かを判断することで、複数のタッチセンサの検出量の互いの大小関係に依存することなく、複数のタッチセンサの検出量の差が、単に予め設定された所定の範囲ΔＣにあるか否かを、入力操作の有効・無効の判別基準とすることが可能となる。
【００６９】
又、図７、図８の応用例では、隣接する２つのタッチセンサに跨る打鍵操作が、操作者の入力操作の方法によって、隣接する２つのタッチセンサの検出量を変化させるように移動するような場合、いわゆる「滑り押し」に対しても、適切に入力操作の有効・無効の判定をすることが可能となる。
すなわち、制御回路部２では、入力操作の有効・無効の判定をする際の判別基準について、検知情報に対応する出力情報を同じくする複数のタッチセンサ（図４（ａ）のＳＷ４０、ＳＷ４１参照）のうちの、任意の１つのタッチセンサ（ＳＷ４０）が検知する、第１の検知感度に基づく入力操作が有と判定され（Ｓ４１０）、かつ、所定時間経過後に、任意の１つのタッチセンサと同一のタッチセンサ（ＳＷ４０）によって第２の検知感度に基づく入力操作が有と判定されるとき（Ｓ４３０）、正式にその入力操作を有と判断するものである。すなわち、隣接する２つのタッチセンサのうちの１つのタッチセンサの検知量の、時間経過に伴う変化を拠り所として、入力操作の有効・無効の判定（Ｓ４４０、Ｓ４６０）をすることが可能となる。
【００７０】
又、検知情報に対応する出力情報を同じくする複数のタッチセンサのうちの、任意の１つのタッチセンサ（ＳＷ４０）が検知する、第１の検知感度に基づく入力操作が有と判定され、かつ、所定時間経過後に、任意の１つのタッチセンサと出力情報を同じくする別のタッチセンサ（ＳＷ４１）によって第２の検知感度に基づく入力操作が有と判定されるときにも、正式にその入力操作を有と判断することができる。すなわち、隣接する２つのタッチセンサにより、検知量の時間経過に伴う変化を求め、それらの検知量を拠り所として、入力操作の有効・無効の判定（Ｓ４４０、Ｓ４６０）をすることも可能となる。
【００７１】
又、図９、図１０の応用例でも、いわゆる「滑り押し」に対して、適切に入力操作の有効・無効の判定をすることが可能となる。この場合には、検知情報に対応する出力情報を同じくする複数のタッチセンサ（ＳＷ４０、ＳＷ４１）から、入力操作の複数の検知情報が得られる場合に、複数のタッチセンサが検知する、第２の検知感度に基づく入力操作が有と判定され、かつ、所定時間経過後に、その判定に係るタッチセンサのうちの１つのタッチセンサ（ＳＷ４１）によって第１の検知感度に基づく入力操作が有と判定されるとき、正式にその入力操作を有と判断することができる。この場合にも、隣接する２つのタッチセンサにより、検知量の時間経過に伴う変化を求め、それらの検知量を拠り所として、入力操作の有効・無効の判定（Ｓ５４０、Ｓ５６０）をすることが可能となる。
【００７２】
以上の如く、図３〜図１０の全ての例において、検知情報に対応する出力情報を同じくする複数のタッチセンサから、入力操作の複数の検知情報が得られる場合に、制御回路部２では、入力操作の有効・無効の判定をする際の判別基準について、第１の検知感度より高い任意の感度である第２の検知感度へと切り替えることで、少ない検出量から入力操作の有効・無効の判定をする。そして、入力操作が行われているとの判定をした場合に、検知情報に対応する出力情報を同じくする複数のタッチセンサに設定されている検知感度を、検知情報に係る入力値の大きさに応じて更新することで、随時、入力操作が行われているか否かの判定に最適の検知感度に調整するものである。
【００７３】
更に、本実施形態に係る入力装置１０は、複数のタッチセンサ７により検知される入力操作の検知情報であるアナログ値をＡ／Ｄ変換して、以後、デジタル値に基づき、タッチセンサに設定された検知感度を変更して、入力操作が行われているか否かの判定を行なうことで、ノイズの影響を排除した検知感度の設定、入力操作の有無の判定を行なうことが可能となる。
【００７４】
以上の説明において、「検知感度を切り替える」ための手法として、操作部１から入力される入力操作の検知情報に係る入力値の大きさに基づき、入力操作の有無の判定を行なう際に、データ処理部４において判断基準となる「閾値」を変更する場合を例に挙げて説明したが、これに代えて、タッチセンサ７により得られる「検出量のゲイン」を変更することにより、「検知感度を切り替える」こととしても良い。この場合には、「検知感度を切り替える」際に、図１に示された入力装置１０の、制御回路部２に含まれる記憶部５のテーブルに定義されたゲイン調整を行なうための情報に基づき、入力情報検出回路３に対しゲイン変更指令が出力されることで、上記と同様の作用効果を得ることが可能となる。
又、上記説明においては、大型キーのタッチセンサとして、二個又は三個使いの場合を例示して説明したが、当然にそれ以上の数のタッチセンサを用いた場合であっても、同様の技術思想に基づき、本発明を適用することが可能である。
【符号の説明】
【００７５】
１：操作部、２：制御回路部、３：入力情報検出回路、４：データ処理部、５：記憶部、６：電子機器、７：タッチセンサ、１０：入力装置
【図１】
2013012159.tif 000003
【図２】
2013012159.tif 000004
【図３】
2013012159.tif 000005
【図５】
2013012159.tif 000006
【図６】
2013012159.tif 000007
【図７】
2013012159.tif 000008
【図９】
2013012159.tif 000009
【図１１】
2013012159.tif 000010
【図１２】
2013012159.tif 000011
【図４】
2013012159.tif 000012
【図８】
2013012159.tif 000013
【図１０】
2013012159.tif 000014
【図１３】
2013012159.tif 000015